(57)【要約】      （修正有）【課題】空気充填機全体に対し効果的にその振動力を吸収し、同時に空気充填機の安定性と位置移動の問題に対する解決策を提供し、円滑・安定・低騒音の防振座体付き小型空気充填機の提供。【解決手段】空気充填機本体１００と座体１０から成り、前記座体は、湾曲片１を主として構成され、該湾曲片はＨ字形または単片式の設計とし、該座体の板面及び空気充填機本体の底面に、相互に対応する対称の嵌入孔を設置し、ソフトプラスチック製の防振棒２を、対応する該嵌入孔にそれぞれ設置し、該座体と空気充填機本体を連結して一体とし、該防振棒と湾曲片があらゆる方向の振動力を吸収し、効果的な防振効果が得られる。【選択図】図２
0003102746.tif 000002
【実用新案登録請求の範囲】
【請求項１】
防振座体付き小型空気充填機であって、小型空気充填機に湾曲片及び防振棒から成る座体を設置し、そのうち、前記湾曲片は、適当な厚さで恒常的に湾曲しており、Ｈ字形または対応する単片状であり、該湾曲片上と、空気充填機本体底面の対応する位置にそれぞれ対称の嵌入孔を設け、前記防振棒の挿入部を該嵌入孔にそれぞれ嵌置し、該湾曲片と空気充填機本体が連結され一体を成すと共に、該湾曲片の前後先端部に、地面において使用する際地面に接触し、高度の柔軟性を備えた位置決め点を形成する防振パッドをそれぞれ設置し、該防振パッドの底部は突出していると共に、地面に対する保持力を強化するための複数の底溝を備え、該湾曲片から成る座体に高度な柔軟性と安定性が形成され、前記防振棒は、柔軟性を備えたソフトプラスチック材質より成り、両端を突起させ前記挿入部を形成し、該挿入部の内側にそれぞれ環状嵌溝を形成し、該環状嵌溝に前記嵌入孔を嵌置し、前記湾曲片と空気充填機本体が連結されて一体を成し、さらに、前記防振棒の柔軟性を強化し、その防振に必要な隙間を形成するため、該防振棒上に１つ以上の環状槽を設け、該防振棒両端の挿入部をさらに突起させ、組立て時に直接引っ張り迅速に該防振棒を前記嵌入孔内に設置することのできるつまみ部を設けた、防振座体付き小型空気充填機。
【考案の詳細な説明】
【技術分野】
【０００１】
本考案は、防振座体付き小型空気充填機に関し、特に、自動車携帯用または家庭用の空気充填機の防振座体の設計に関し、円滑で安定した、低騒音の装置の提供を目標とし、この三大目標の達成のため、本考案の座体はその特殊な構造設計により、効果的且つ大幅に空気充填機の振動を抑え、空気充填機の高周波振動を排除し、同時に機械の振動に起因する装置の位置移動や跳びはねといった位置固定の問題及び高周波振動騒音の問題を解決することができる、防振座体付き小型空気充填機に関する。
【０００２】
本考案の座体の設計上の特徴は、湾曲片と防振棒を組み合わせて運用している点であり、そのうち、湾曲片の四つの支持片先端に嵌置した防振パッドも本案の重点課題の一つであり、これらの設計により、効果的且つ確実に従来の空気充填機の振動力に起因する問題を解決することができ、さらに、当該製品の品質を向上することができる。
【背景技術】
【０００３】
小型空気充填機（自動車携帯用または家庭用の空気充填機）は、一般的に、空気充填式のボートや、ボール類、車のタイヤ、空気充填式の玩具等に用いられ、そのうち、車のタイヤ用の空気充填機については、すでに自動車に常備すべき必須工具の一つとなっている。しかしながら、これら小型の携帯型空気充填機のほとんどは、電動モータでピストンを動かし、高圧力の気体を産出するが、空気充填機内のピストンの高速往復運動が引き起こす高周波振動を排除することが困難であり、振動による位置移動、跳びはね、振動性の高周波騒音等の付加産物が発生し、これらの不良要素が直接的または間接的に空気充填機の品質とその実用性に影響を与えている。
【０００４】
図１に示すように、従来の小型空気充填機は、機体の設計に合わせ、座体Ａ１上に簡易式の防振パッドＡ２が設置され、このような座体Ａ１と防振パッドＡ２は、対応する補助的機能、即ち相乗機能を備えておらず、主に該防振パッドＡ２が単独で振動に対応しており、座体は何も補助的機能を備えていないため、防振機能に劣っている。特に、振動力が直接該防振パッドＡ１に伝えられるため、空気充填機の機体全体が高周波往復運動に伴い必然的に若干の位置移動や跳びはね、振動性の高周波騒音を生み、これまでの各種小型空気充填機はこの問題を効果的に解決するに至っておらず、業者の悩みの種であるだけでなく、消費者にも好まれない製品となっている。
【考案の開示】
【考案が解決しようとする課題】
【０００５】
本考案は、空気充填機全体に対し、効果的にその振動力を吸収し、同時に空気充填機の安定性と位置移動の問題に対する解決策を提供し、円滑・安定・低騒音を目標及びその効果とする、防振座体付き小型空気充填機の提供を目的とする。
【課題を解決するための手段】
【０００６】
本考案の防振座体付き小型空気充填機は、空気充填機本体と座体から成り、前記座体は、湾曲片を主として構成され、該湾曲片はＨ字形または単片式の設計とし、この2種類の形式共に本考案の要旨を逸脱しないものとする。次に、該座体の板面及び空気充填機本体の底面に、相互に対応する対称の嵌入孔を設置し、ソフトプラスチック製の前記防振棒を、対応する該嵌入孔にそれぞれ設置し、該座体と空気充填機本体を連結して一体とし、該防振棒と湾曲片があらゆる方向の振動力を吸収し、効果的な防振効果が得られる。。
【考案の効果】
【０００７】
本考案によれば、以下にまとめる有利な点が得られる。      
1. 本考案の設計による座体と防振棒を組み合わせた構造の運用により、あらゆる機種や各種形態の空気充填機に装着して利用することができ、広範囲に使用することができる。
2. この湾曲式の防振湾曲片の構造により、恒常性の湾曲設計の下、機体本体の重量を柔軟に支持するだけでなく、その湾曲を回復する反復運動により、効果的に空気充填機が発する上下の高周波振動力を吸収し、また、不良な振動から派生する様々な問題を解決することができる。
3. ソフトプラスチック製の防振棒を用いることで、湾曲片座体と機体本体間を連結するだけでなく、その柔軟性を備えた支持力と防振効果で、空気充填機が発する前後左右の高周波振動力を吸収し、また、不良な振動から派生する様々な問題を解決することができる。
4. 防振パッドの突起状のパッド底部により、座体の分?したそれぞれの支持片先端に点状の接触点が形成され、最も理想的な安定した位置決めが確立され、さらに、振動力による機体の位置移動や跳びはねの問題を解決することができる。
5. 防振パッドの突起状のパッド底部に開設した複数の底溝により、該防振パッドの地面に対する保持力を効果的に向上し、座体全体をより柔軟に安定させ、高度な位置保持力を形成することができる。
【０００８】
本考案は、座体と防振棒を組み合わせた設計により、空気充填機の排除が不可能な機体の振動に起因する様々な欠点を完全に解決することができ、同時に、これまでにない防振パッドを座体に提供し、従来の小型空気充填機の改良が必要とされる技術上の問題を確実に解決し、空気充填機の機能を大幅に向上するだけでなく、さらに多くの実用的機能を派生的に生むことができる。
【考案を実施するための最良の形態】
【０００９】
以下、本考案について、図面に基づき詳細に説明する。
図２、図３、図４に示すように、本考案の空気充填機は、小型空気充填機用の座体１０の設計を特徴とし、主に、湾曲片１と防振棒２を含み、この両者間の連結により運用され、そのうち、前記湾曲片１は、図３及び図４に示すようなＨ字形、または図２に示すような対応式の単片設計とすることができ、該湾曲片１は、適当な厚さと湾曲度を以って形成され、高度な弾性機能を備えていることにより、空気充填機１００が発する上下の振動を効果的に吸収することができる。
【００１０】
また、湾曲片１の板面及び空気充填機本体１００の底面に、相互に対応する対称の嵌入孔１１、１０１をそれぞれ設け、前記防振棒２を対応する嵌入孔１１、１０１に挿入することにより、湾曲片１と空気充填機本体１００が連結され、一体を形成する。
【００１１】
図６、図７に示すように、防振棒２はソフトプラスチック材質により形成され、柔軟特性を備えると同時に、両端に挿入部２１を備えており、該両端の挿入部２１の内側に、環状嵌溝２２をそれぞれ設け、前記嵌入孔１１、１０１がそれぞれ嵌置される。このほか、挿入部２１の先端部にそれぞれつまみ部２３を設け、該つまみ部２３により、組立て時に直接該つまみ部２３を引っ張り、迅速に該防振棒２を該嵌入孔１１、１０１内に設置することができる。
【００１２】
前記防振棒２の本体には、１つ以上の環状槽２４を形成し、その柔軟特性を強化すると共に、防振に必要な間隙を形成する。該防振棒２が提供する機能により、効果的に空気充填機１００の前後左右方向の振動力を吸収し、さらに、前記湾曲片１が空気充填機１００の上下方向の振動力を吸収するため、本考案によれば、図８に示すように、全方位における効果的な防振効果を得ることができる。
【００１３】
図４、図５に示すＨ字形の湾曲片１を例にとると、４本の支持片１２を備えており、各支持片１２は、適当な厚みと湾曲度で形成されており、高度な弾性機能を備えている。また、Ｈ字形の湾曲片１または単片型の湾曲片１を問わず、その前後端にそれぞれ防振パッド３を設置し、地面に接触する位置決め点とする。図５に示すように、該防振パッド３は、底部３１が突出した形態を呈し、地面に接触する際、高度な柔軟性を備えた位置決め点を形成する。このほか、該防振パッド３の位置決めをより理想的にするため、該防振パッド３の底部３１に複数の底溝３１１を開設し、この底溝３１１により地面に対する保持力が強化され、座体１０の柔軟性と安定性をさらに向上することができる。
【図面の簡単な説明】
【００１４】
【図１】従来の小型空気充填機の外観平面図である。
【図２】本考案の最良の実施例に基づく全体の外観立体図である。
【図３】本考案のＨ字形の湾曲片を備えた座体の外観立体図である（防振パッドを含む）。
【図４】本考案のＨ字形の湾曲片を備えた座体の平面図である。
【図５】本考案の防振パッドの別の実施例を示す側面図および断面図である。
【図６】本考案の防振棒の立体図である。
【図７】本考案の防振棒を組み込んだ後の状態を示す図である。
【図８】本考案の最良の実施例に基づく防振機能の動作状態を示す側面図である。
【符号の説明】
【００１５】
１０        座体
１００      空気充填機本体
１０１      嵌入孔
１          湾曲片
１１        嵌入孔
１２        支持片
２          防振棒
２１        挿入部
２２        環状嵌溝
２３        つまみ部
２４        環状槽
３          防振パッド
３１        底部
３１１      底溝
【図１】
0003102746.tif 000003
【図２】
0003102746.tif 000004
【図３】
0003102746.tif 000005
【図４】
0003102746.tif 000006
【図５】
0003102746.tif 000007
【図６】
0003102746.tif 000008
【図７】
0003102746.tif 000009
【図８】
0003102746.tif 000010